(57)【要約】【課題】モバイル端末のユーザビリティを向上させることが可能なリストバンド型情報処理装置および記憶媒体を提案する。【解決手段】ユーザの手首に装着するバンド部と、前記バンド部が装着された手に画像を投影する投影部と、記憶部に記憶された画像、または外部装置から入力された画像の少なくともいずれか一方を前記手に投影するよう前記投影部を制御する制御部と、を備えるリストバンド型情報処理装置。【選択図】図１
2015041052.tif 000002
【特許請求の範囲】
【請求項１】
ユーザの手首に装着するバンド部と、
前記バンド部が装着された手に画像を投影する投影部と、
記憶部に記憶された画像、または外部装置から入力された画像の少なくともいずれか一方を前記手に投影するよう前記投影部を制御する制御部と、
を備えるリストバンド型情報処理装置。
【請求項２】
前記リストバンド型情報処理装置は、ユーザ操作を受け付ける操作部をさらに備え、
前記制御部は、前記操作部により受け付けられた前記ユーザ操作に応じて、前記投影部により投影される画像を制御する、請求項１に記載のリストバンド型情報処理装置。
【請求項３】
前記リストバンド型情報処理装置は、表示部をさらに備え、
前記制御部は、前記操作部により受け付けられた前記ユーザ操作に応じて、前記表示部に表示された画像を前記手に投影するよう前記投影部を制御する、請求項２に記載のリストバンド型情報処理装置。
【請求項４】
前記リストバンド型情報処理装置は、表示部をさらに備え、
前記制御部は、前記操作部により受け付けられた前記ユーザ操作に応じて、前記表示部に表示された画像とは異なる画像を前記手に投影するよう前記投影部を制御する、請求項２に記載のリストバンド型情報処理装置。
【請求項５】
前記リストバンド型情報処理装置は、前記投影部により前記手に投影された画像に対するユーザ操作を検出する検出部をさらに備え、
前記制御部は、前記検出部により検出された前記ユーザ操作に応じて、前記投影部により投影される画像を制御する、請求項１に記載のリストバンド型情報処理装置。
【請求項６】
前記制御部は、外部から入力された放送波による画像を前記手に投影するよう前記投影部を制御し、前記放送波に関連する関連情報を表示するよう前記表示部を制御する、請求項４に記載のリストバンド型情報処理装置。
【請求項７】
前記リストバンド型情報処理装置は、撮像部をさらに備え、
前記制御部は、前記撮像部により撮像された撮像画像を前記手に投影するよう前記投影部を制御し、前記撮像部によるスルー画像を表示するよう前記表示部を制御する、請求項４に記載のリストバンド型情報処理装置。
【請求項８】
前記リストバンド型情報処理装置は、前記バンド部が装着された前腕部に画像を投影する他の投影部をさらに備える、請求項１に記載のリストバンド型情報処理装置。
【請求項９】
前記制御部は、第１の画像を前記手に投影するよう前記投影部を制御し、第２の画像を前記前腕部に投影するよう前記他の投影部を制御する、請求項８に記載のリストバンド型情報処理装置。
【請求項１０】
前記制御部は、前記ユーザの目と前記手の相対的位置関係に応じて前記投影部により投影される画像の表示角度を制御する、請求項１に記載のリストバンド型情報処理装置。
【請求項１１】
前記リストバンド型情報処理装置は、前記手の動きを認識する認識部をさらに備える、請求項１に記載のリストバンド型情報処理装置。
【請求項１２】
前記制御部は、前記認識部により認識された前記手の動きに応じて前記投影部による投影方向を制御する、請求項１１に記載のリストバンド型情報処理装置。
【請求項１３】
前記制御部は、前記認識部により認識された前記手の動きに応じて、前記投影部により投影される画像を制御する、請求項１１に記載のリストバンド型情報処理装置。
【請求項１４】
前記リストバンド型情報処理装置は、前記リストバンド型情報処理装置に対応付けられた携帯端末から前記投影部により投影される画像を受信する受信部をさらに備える、請求項１に記載のリストバンド型情報処理装置
【請求項１５】
前記受信部は、前記投影部により投影される画像として、前記携帯端末のグラフィカルユーザインターフェースを示す画像を受信する、請求項１４に記載のリストバンド型情報処理装置。
【請求項１６】
前記投影部はレーザー方式のピコプロジェクタである、請求項１に記載のリストバンド型情報処理装置。
【請求項１７】
コンピュータを、
バンド部が装着された手に画像を投影する投影部と、
記憶部に記憶された画像、または外部装置から入力された画像の少なくともいずれか一方を前記手に投影するよう前記投影部を制御する制御部と、
として機能させるためのプログラムが記憶された記憶媒体。
【発明の詳細な説明】
【技術分野】
【０００１】
本開示は、リストバンド型情報処理装置および記憶媒体に関する。
【背景技術】
【０００２】
近年、モバイル端末の普及や高度化に伴い、モバイル端末のユーザビリティを向上させるための技術が開発されている。
【０００３】
例えば、下記特許文献１では、ユーザの上腕部にプロジェクタを配置し、前腕部に画像を投影すると共に、投影されている体の部位に各キーを割り当て、その部位へのタッチやフリック操作により、連携するデバイスを操作可能にする技術が開示されている。
【先行技術文献】
【特許文献】
【０００４】
【特許文献１】米国特許出願公開第２０１１／０１３３９３４号明細書
【発明の概要】
【発明が解決しようとする課題】
【０００５】
しかし、上記特許文献１に記載の技術では、ユーザはわざわざ装置を上腕部に巻く必要があるため手間がかかるという問題があり、さらなるユーザビリティの向上が求められている。
【０００６】
そこで、本開示では、モバイル端末のユーザビリティを向上させることが可能な、新規かつ改良されたリストバンド型情報処理装置および記憶媒体を提案する。
【課題を解決するための手段】
【０００７】
本開示によれば、ユーザの手首に装着するバンド部と、前記バンド部が装着された手に画像を投影する投影部と、記憶部に記憶された画像、または外部装置から入力された画像の少なくともいずれか一方を前記手に投影するよう前記投影部を制御する制御部と、を備えるリストバンド型情報処理装置が提供される。
【０００８】
また、本開示によれば、コンピュータを、バンド部が装着された手に画像を投影する投影部と、記憶部に記憶された画像、または外部装置から入力された画像の少なくともいずれか一方を前記手に投影するよう前記投影部を制御する制御部と、として機能させるためのプログラムが記憶された記憶媒体が提供される。
【発明の効果】
【０００９】
以上説明したように本開示によれば、モバイル端末のユーザビリティを向上させることが可能である。なお、上記の効果は必ずしも限定的なものではなく、上記の効果とともに、または上記の効果に代えて、本明細書に示されたいずれかの効果、または本明細書から把握され得る他の効果が奏されてもよい。
【図面の簡単な説明】
【００１０】
【図１】本開示の一実施形態に係る投影システムの概要を示す説明図である。
【図２】本開示の一実施形態に係る投影システムの構成を示すブロック図である。
【図３】本開示の一実施形態に係る投影システムの動作を示すシーケンス図である。
【図４】第１の実施形態に係る投影処理を説明するための図である。
【図５】第２の実施形態に係る投影処理を説明するための図である。
【図６】第３の実施形態に係る投影処理を説明するための図である。
【図７】第４の実施形態に係る投影処理を説明するための図である。
【図８】第５の実施形態に係る投影処理を説明するための図である。
【図９】第６の実施形態に係る投影処理を説明するための図である。
【図１０】第７の実施形態に係る投影処理を説明するための図である。
【図１１】第７の実施形態に係る投影処理を説明するための図である。
【図１２】第８の実施形態に係る投影処理を説明するための図である。
【図１３】第９の実施形態に係る投影処理を説明するための図である。
【図１４】第１０の実施形態に係るリストバンド型端末の構成を示すブロック図である。
【発明を実施するための形態】
【００１１】
以下に添付図面を参照しながら、本開示の好適な実施の形態について詳細に説明する。なお、本明細書及び図面において、実質的に同一の機能構成を有する構成要素については、同一の符号を付することにより重複説明を省略する。
【００１２】
なお、説明は以下の順序で行うものとする。
１．本開示の一実施形態に係る投影システムの概要
２．実施形態
２−１．共通形態
２−１−１．構成
２−１−２．動作処理
２−２．第１の実施形態
２−３．第２の実施形態
２−４．第３の実施形態
２−５．第４の実施形態
２−６．第５の実施形態
２−７．第６の実施形態
２−８．第７の実施形態
２−９．第８の実施形態
２−１０．第９の実施形態
２−１１．第１０の実施形態
３．まとめ
【００１３】
＜１．本開示の一実施形態に係る投影システムの概要＞
まず、図１を参照して、本開示の一実施形態に係る投影システムの概要を説明する。
【００１４】
図１は、本開示の一実施形態に係る投影システムの概要を示す説明図である。図１に示すように、本開示の一実施形態に係る投影システムは、リストバンド型端末１（リストバンド型情報処理装置）、およびスマートフォン２（外部装置）を有する。
【００１５】
図１に示すように、リストバンド型端末１は、バンド部６によりユーザの手首に装着される。バンド部６は、例えば皮革や金属、繊維、ゴムなどの腕時計用バンドと同様に形成される。なお、リストバンド型端末１のうち、バンド部６以外の、プロジェクタ３や表示部４などが設けられる部分を、本体とも称する。
【００１６】
リストバンド型端末１は、スマートフォン２と無線通信により接続され、ポケットに入っているスマートフォン２から受信した画像を表示部４に表示している。さらに、リストバンド型端末１は、プロジェクタ３（投影部）により、スマートフォン２から受信した画像を、バンド部６が装着された手に投影する。図１に示した例においては、リストバンド型端末１は、投影画像５として、スマートフォン２においてＧＰＳ（Ｇｌｏｂａｌ  Ｐｏｓｉｔｉｏｎｉｎｇ  Ｓｙｓｔｅｍ）機能を利用して生成された地図画像を投影している。
【００１７】
リストバンド型端末１は、携帯性の実現のため、その大きさが例えば一般的な腕時計程度の大きさに制限される。このため、表示部４の物理的な大きさに限界があるので、図１に示すように、ユーザにとっては表示部４に表示された地図が見づらい場合がある。そこで、本実施形態に係るリストバンド型端末１は、プロジェクタ３により、画像を例えばスマートフォン２と同等のインチサイズに拡大して手に投影することで、画像の視認性を向上させる。これにより、ユーザは、スマートフォン２と同等のインチサイズを有する投影画像５によって、自分の地図上の位置を確認したり、行先を容易に発見したりすることができる。
【００１８】
また、ユーザは、スマートフォン２をポケットや鞄に入れたままで手に取ることなく、地図などの画像を閲覧することができる。このため、リストバンド型端末１は、スマートフォン２をポケットや鞄から取り出す手間を削減することができる。
【００１９】
ここで、上記特許文献１に記載された技術では、ユーザはわざわざ装置を上腕部に巻く必要があるため手間がかかるという問題があった。また、上記特許文献１に記載された技術では、肌に画像を投影することが前提とされており、腕部分が隠れないような服を着て使用することが求められる。つまり、上記特許文献１に記載された技術は、その使用のためにユーザに対して不便を強いるという問題があった。
【００２０】
そこで、上記事情を一着眼点にして本開示の一実施形態に係るリストバンド型情報処理装置を創作するに至った。本開示の一実施形態に係るリストバンド型情報処理装置は、モバイル端末のユーザビリティを向上させることが可能である。
【００２１】
より詳しくは、リストバンド型端末１は、ユーザの手首に装着されるので、ユーザは、わざわざ装置を上腕部に巻く必要もなく、または長袖などの腕部分が隠れるような服を着ていても使用することができる。また、手首に物を装着することは、腕時計やリストバンド、ブレスレットなどで慣れ親しまれているため、ユーザは特に違和感なくリストバンド型端末１を使用することができる。
【００２２】
また、図１に示すように、リストバンド型端末１は腕時計程度の大きさに形成される。一般的に腕時計はスマートフォンよりも軽いため、ユーザは、実際にスマートフォン２を手に取って操作するよりも少ない労力で操作することができ、手の疲れが軽減される。
【００２３】
さらに、ユーザは、プロジェクタ３が手首の内側に位置するようにリストバンド型端末１を装着することで、図１に示すように、手のひらを投影面として投影画像５を投影させることができる。この場合、ユーザは周囲にいる人や物から投影画像５を隠すことができるため、プライバシー性が増す。また、手のひらに画像が投影される場合、画像を視認するためにユーザは手のひらをユーザ側に向ける。通常スマートフォン２を手に持って操作する場合、手のひらはユーザ側に向けられるので、リストバンド型端末１の操作とスマートフォン２の操作とは操作性が類似する。よって、ユーザは、違和感なくリストバンド型端末１を使用することができる。
【００２４】
また、プロジェクタ３が投影する画像はスマートフォン２のグラフィカルユーザインターフェース（ＧＵＩ）を示す画像であり、ユーザは、投影された画像に対する操作をリストバンド型端末１に入力することができる。つまり、リストバンド型端末１は、スマートフォン２の出力装置および入力装置として機能する。このため、ユーザは、ポケットや鞄からスマートフォン２を取り出すことなく、スマートフォン２を操作することができる。これにより、スマートフォン２のユーザビリティはさらに向上する。
【００２５】
以上、本開示の一実施形態に係る投影システムの概要を説明した。続いて、本開示の各実施形態に係る投影システムについて、詳細に説明する。
【００２６】
＜２．実施形態＞
［２−１．基本形態］
まず、図２、図３を参照して、本開示の各実施形態で共通する投影システムの構成および動作処理を説明する。
［２−１−１．構成］
図２は、本開示の一実施形態に係る投影システムの構成を示すブロック図である。図２に示すように、リストバンド型端末１は、プロジェクタ３、表示部４、制御部１１、通信部１２、撮像部１３、操作部１４、およびセンサ部１５を有し、スマートフォン２と連携して動作する。
【００２７】
（スマートフォン２）
スマートフォン２は、単独で、またはリストバンド型端末１と連携して動作する情報処理装置である。スマートフォン２は、リストバンド型端末１と連携して動作する場合、リストバンド型端末１を出力装置および入力装置として機能させる。即ち、スマートフォン２は、リストバンド型端末１に対して、投影または表示させるための画像を送信し、ユーザ操作を示す情報を受信する機能を有する。より具体的には、スマートフォン２は、リストバンド型端末１に対してＧＵＩを示す画像を送信して、そのＧＵＩに対するユーザ操作を受信する。そして、スマートフォン２は、受信したユーザ操作に応じた処理を行い、その処理に応じて更新したＧＵＩを示す画像をリストバンド型端末１に送信する。
【００２８】
なお、図１に示した例では、外部装置の一例としてスマートフォン２を用いたが、本実施形態に係る外部装置はこれに限定されない。例えば、外部装置は、デジタルカメラ、デジタルビデオカメラ、ＰＤＡ（Ｐｅｒｓｏｎａｌ  Ｄｉｇｉｔａｌ  Ａｓｓｉｓｔａｎｔｓ）、ＰＣ（Ｐｅｒｓｏｎａｌ  Ｃｏｍｐｕｔｅｒ）、ノートＰＣ、タブレット端末、携帯電話端末、携帯用音楽再生装置、携帯用映像処理装置または携帯用ゲーム機器等であってもよい。
【００２９】
（プロジェクタ３）
プロジェクタ３は、制御部１１による制御に基づき、画像（静止画像／動画像）を投影面に投影する。本実施形態においては、プロジェクタ３は、制御部１１による制御に基づき、バンド部６が装着された手（手の甲または手のひら）に画像を投影する。プロジェクタ３は、例えばレーザー方式のピコプロジェクタにより実現される。この場合、フォーカス調整などのキャリブレーションを行う必要が原則無いため、プロジェクタ３は、手の表面の凹凸や、手首の角度等によるプロジェクタ３と投影面との位置関係によらず、画像を投影することができる。
【００３０】
（表示部４）
表示部４は、制御部１１による制御に基づき、画像（静止画像／動画像）の表示を行う。プロジェクタ３は、例えばＬＣＤ（Ｌｉｑｕｉｄ  Ｃｒｙｓｔａｌ  Ｄｉｓｐｌａｙ）またはＯＬＥＤ（Ｏｒｇａｎｉｃ  Ｌｉｇｈｔ−Ｅｍｉｔｔｉｎｇ  Ｄｉｏｄｅ）、などにより実現される。本実施形態においては、表示部４は、後述の操作部１４と一体的に構成されるタッチパネルとして実現されるものとする。
【００３１】
（通信部１２）
通信部１２は、外部装置との間でのデータの送受信を行う。通信部１２は、例えば無線、Ｂｌｕｅｔｏｏｔｈ（登録商標）、ＷｉＨＤ（Ｗｉｒｅｌｅｓｓ  Ｈｉｇｈ  Ｄｅｆｉｎｉｔｉｏｎ）、ＷＬＡＮ（Ｗｉｒｅｌｅｓｓ  Ｌｏｃａｌ  Ａｒｅａ  Ｎｅｔｗｏｒｋ）、Ｗｉ−Ｆｉ（Ｗｉｒｅｌｅｓｓ  Ｆｉｄｅｌｉｔｙ、登録商標）、ＮＦＣ（Ｎｅａｒ  Ｆｉｅｌｄ  ｃｏｍｍｕｎｉｃａｔｉｏｎ）、赤外線通信等の方式で、スマートフォン２と通信を行う。他にも、通信部１２は、３Ｇ／ＬＴＥ（Ｌｏｎｇ  Ｔｅｒｍ  Ｅｖｏｌｕｔｉｏｎ）やミリ波帯の電波により、スマートフォン２と通信を行ってもよい。
【００３２】
本実施形態においては、通信部１２は、予め対応付けられたスマートフォン２から、プロジェクタ３により投影または表示部４により表示される画像を受信する受信部として機能する。より詳しくは、通信部１２は、プロジェクタ３により投影または表示部４により表示される画像として、スマートフォン２のＧＵＩを示す画像を受信する。なお、ユーザ操作や外部入力等に応じて、リストバンド型端末１に対応付けられるスマートフォン２は変更可能である。通信部１２は、受信した画像を制御部１１に出力する。
【００３３】
また、通信部１２は、後述する操作部１４やセンサ部１５により取得されたユーザ操作を示す情報を、制御部１１から供給され、スマートフォン２に送信する。これにより、ユーザは、リストバンド型端末１を介してスマートフォン２を操作することが可能となる。
【００３４】
（撮像部１３）
撮像部１３は、撮像レンズ、絞り、ズームレンズ、及びフォーカスレンズ等により構成されるレンズ系、レンズ系に対してフォーカス動作やズーム動作を行わせる駆動系、レンズ系で得られる撮像光を光電変換して撮像信号を生成する固体撮像素子アレイ等を有する。固体撮像素子アレイは、例えばＣＣＤ（Ｃｈａｒｇｅ  Ｃｏｕｐｌｅｄ  Ｄｅｖｉｃｅ）センサアレイや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）センサアレイにより実現されてもよい。撮像部１３は、デジタル信号とされた撮影画像のデータを、制御部１１に出力する。
【００３５】
（操作部１４）
操作部１４は、ユーザからの入力（ユーザ操作）を受け付ける機能を有する。例えば、操作部１４は、ボタン、タッチセンサ、トラックボール等により実現される。本実施形態においては、操作部１４は、表示部４と一体的に構成されるタッチパネルにより実現されるものとする。センサ部１５は、入力されたユーザ操作を示す情報を、制御部１１に出力する。
【００３６】
（センサ部１５）
センサ部１５は、ユーザの動作や状態を取得する機能を有する。例えば、センサ部１５は、ユーザの顔や目、またはリストバンド型端末１が装着された手を撮像対象とするカメラにより実現される。他にも、センサ部１５は、奥行き検出機能付きカメラ、マイク、ＧＰＳ、赤外線センサ、光線センサ、筋電センサ、神経センサ、脈拍センサ、体温センサ、ジャイロセンサ、加速度センサまたはタッチセンサなどにより実現される。なお、筋電センサや神経センサ、脈拍センサ、体温センサは、バンド部６に設けられる輪腕センサとして実現されてもよい。センサ部１５は、本体またはバンド部６に設けられるので手に近い位置でセンシングすることができ、その結果、手の動きをより精度よく取得することができる。センサ部１５は、センシング結果を示す情報を制御部１１に出力する。
【００３７】
（制御部１１）
制御部１１は、演算処理装置および制御装置として機能し、各種プログラムに従ってリストバンド型端末１内の動作全般を制御する。制御部１１は、例えばＣＰＵ（Ｃｅｎｔｒａｌ  Ｐｒｏｃｅｓｓｉｎｇ  Ｕｎｉｔ）、マイクロプロセッサによって実現される。なお、制御部１１は、使用するプログラムや演算パラメータ等を記憶するＲＯＭ（Ｒｅａｄ  Ｏｎｌｙ  Ｍｅｍｏｒｙ）、および適宜変化するパラメータ等を一時記憶するＲＡＭ（Ｒａｎｄｏｍ  Ａｃｃｅｓｓ  Ｍｅｍｏｒｙ）を含んでいてもよい。
【００３８】
制御部１１は、スマートフォン２から入力された画像、または図示しない記憶部に記憶された画像の少なくともいずれか一方を手に投影するようプロジェクタ３を制御する。より具体的には、制御部１１は、スマートフォン２から通信部１２を介して入力された画像を、バンド部６が装着された手に投影するよう、プロジェクタ３を制御する。また、制御部１１は、スマートフォン２から受信した撮像画像やメール文章を示す画像などを図示しない記憶部に一時的に記憶しておき、記憶部に記憶された画像を投影するよう、プロジェクタ３を制御してもよい。なお、本実施形態では、制御部１１は、スマートフォン２から通信部１２を介して入力された画像を投影するようプロジェクタ３を制御するものとする。
【００３９】
さらに、制御部１１は、操作部１４により受け付けられたユーザ操作に応じて、プロジェクタ３により投影される画像を制御する。例えば、制御部１１は、操作部１４により受け付けられたスクロール操作や拡大／縮小操作に応じて、プロジェクタ３により投影される画像をスクロール、拡大／縮小させる。より詳しくは、制御部１１は、操作部１４により受け付けられたユーザ操作を示す情報を、通信部１２によりスマートフォン２に送信する。スマートフォン２は、受信されたユーザ操作に応じた処理がなされ、その処理の結果更新されたＧＵＩを示す画像をリストバンド型端末１に送信する。これにより、リストバンド型端末１は、スマートフォン２のタッチパネルに対してフリックやタッチなどをした場合と同様の画面遷移を投影する。
【００４０】
同様に、制御部１１は、操作部１４により受け付けられたユーザ操作に応じて、表示部４に表示される画像を制御する。他にも、制御部１１は、撮像部１３、センサ部１５から出力される各種情報に基づいて、プロジェクタ３および表示部４を制御する。
【００４１】
また、図２に示すように、制御部１１は、認識部１１１、および検出部１１２としての機能を有する。リストバンド型端末１は、認識部１１１および検出部１１２を有することにより、ジェスチャー入力が可能となる。
【００４２】
・認識部１１１
認識部１１１は、バンド部６が装着された手の動きを認識する機能を有する。より詳しくは、認識部１１１は、センサ部１５から出力されたバンド部６が装着された手を撮像した画像による画像認識、モーション認識等により、手の動きを認識する。制御部１１は、認識部１１１による認識結果に基づいて、画面遷移等の各種処理を行う。
【００４３】
・検出部１１２
検出部１１２は、プロジェクタ３により手に投影された画像に対するユーザ操作を検出する機能を有する。例えば、検出部１１２は、投影画像に対するフリックやタッチなどのユーザ操作を検出する。制御部１１は、検出部１１２により検出されたユーザ操作を示す情報をスマートフォン２に送信し、スマートフォン２によりユーザ操作に応じた処理がなされる。これにより、リストバンド型端末１は、スマートフォン２のタッチパネルに対してフリックやタッチなどをした場合と同様の画面遷移を、表示または投影する。例えば、ユーザが投影画像に対して上下にフリックすると、投影画像がスクロールする。
【００４４】
以上、本実施形態に係る投影システムの構成を説明した。続いて、図３を参照して、本実施形態に係る投影システムの動作を説明する。
［２−１−２．動作処理］
図３は、本開示の一実施形態に係る投影システムの動作を示すシーケンス図である。図３に示すように、まず、ステップＳ１０２で、スマートフォン２は、リストバンド型端末１と連携するか否かを判定する。例えば、スマートフォン２は、単独で動作するよう設定されているか、またはリストバンド型端末１と連携して動作するよう設定されているかを判定する。
【００４５】
リストバンド型端末１と連携すると判定された場合（Ｓ１０２／ＹＥＳ）、ステップＳ１０４で、スマートフォン２は、画像信号をリストバンド型端末１に送信する。より詳しくは、スマートフォン２は、リストバンド型端末１により投影または表示される画像を、リストバンド型端末１に送信する。なお、リストバンド型端末１と連携しないと判定された場合（Ｓ１０２／ＮＯ）、スマートフォン２は、リストバンド型端末１と連携することなく単独で動作する。
【００４６】
次いで、ステップＳ１０６で、リストバンド型端末１は、スマートフォン２から受信した画像を表示部４に表示する。より詳しくは、制御部１１は、通信部１２によりスマートフォン２から受信した画像を表示するよう、表示部４を制御する。
【００４７】
次に、ステップＳ１０８で、リストバンド型端末１は、手に投影するか否かを判定する。より詳しくは、制御部１１は、バンド部６を装着した手に画像を投影するか否かを判定する。例えば、制御部１１は、ユーザにより予め設定された設定情報を参照して、投影するか否かを判定する。
【００４８】
手に投影すると判定された場合（Ｓ１０８／ＹＥＳ）、ステップＳ１１０で、リストバンド型端末１は、スマートフォン２から受信した画像をプロジェクタ３により手に投影する。より詳しくは、制御部１１は、通信部１２によりスマートフォン２から受信した画像を手に投影するよう、プロジェクタ３を制御する。なお、手に投影しないと判定された場合（Ｓ１０８／ＮＯ）、処理は再度ステップＳ１０６に戻る。
【００４９】
次いで、ステップＳ１１２で、リストバンド型端末１は、投影を終了するか否かを判定する。例えば、制御部１１は、操作部１４により投影を終了するよう指示するユーザ操作が受け付けられた場合や所定時間投影した場合に、投影を終了すると判定する。
【００５０】
投影を終了すると判定された場合（Ｓ１１２／ＹＥＳ）、ステップＳ１１４で、リストバンド型端末１は、プロジェクタ３による画像の投影を終了する。その後、処理は再度ステップＳ１０６に戻り、リストバンド型端末１は、表示部４による画像の表示を継続する。一方で、投影を終了しないと判定された場合（Ｓ１１２／ＮＯ）、処理は再度ステップＳ１１０に戻り、プロジェクタ３による画像の投影が継続される。
【００５１】
以上、本開示の各実施形態において共通する投影システムの構成および動作処理を説明した。続いて、図４〜図１４を参照して、本開示の各実施形態について詳細に説明する。
【００５２】
［２−２．第１の実施形態］
本実施形態は、リストバンド型端末１へのユーザ操作に応じて、表示部４に表示された画像がプロジェクタ３により手に投影される形態である。以下、図４を参照して本実施形態について詳細に説明する。
【００５３】
図４は、第１の実施形態に係る投影処理を説明するための図である。図４Ａに示すように、表示部４は、地図を示す画像を表示している。本実施形態では、制御部１１は、操作部１４により受け付けられたユーザ操作に応じて、プロジェクタ３に表示された画像を手に投影するようプロジェクタ３を制御する。例えば、ユーザは、画像を拡大したい場合、表示部４に表示された画像を指でドラッグして、図４Ｂに示すように手のひらや手の甲にドロップする。このとき、リストバンド型端末１は、タッチパネルとして表示部４と一体的に構成された操作部１４により表示部４上のドラッグ動作を検出し、さらにセンサ部１５が有するカメラや赤外線センサ等により手の甲や手のひら上のドラック動作およびドロップ動作を検出する。すると、図４Ｃに示すように、リストバンド型端末１は、表示部４により表示されている画像を拡大した投影画像５−２を、プロジェクタ３により手に投影する。
【００５４】
なお、図４Ｂに示すように、リストバンド型端末１は、ユーザの指が手のひらや手の甲の上をドラッグしている間、その指の位置にドラッグ中であることを示す投影画像５−１を投影してもよい。また、リストバンド型端末１は、タッチパネル上の単なるフリック操作に基づいて、画像を拡大して手に投影してもよい。
【００５５】
このように、本実施形態に係るリストバンド型端末１は、ドラッグ・ドロップにより容易に画像を拡大して投影することができる。また、図４Ｃに示すように、ユーザは、表示部４（タッチパネル）へのフリック操作により地図をスクロールすることができる。他にも、ユーザは、表示部４にタッチした二本の指を広げる操作に基づいて地図を拡大したり、二本の指を近づける操作に基づいて地図を縮小したりすることができる。
【００５６】
以上、第１の実施形態について説明した。
【００５７】
［２−３．第２の実施形態］
本実施形態は、プロジェクタ３と表示部４とで異なる画像を投影または表示すると共に、それぞれの画像に対する独立した操作を可能にする形態である。以下、図５を参照して本実施形態について詳細に説明する。
【００５８】
図５は、第２の実施形態に係る投影処理を説明するための図である。図５Ａに示すように、表示部４（タッチパネル）には複数のアプリケーションアイコンを含むリストバンド型端末１の基本画面（ホーム画面）が表示されている。本実施形態では、制御部１１は、操作部１４により受け付けられたユーザ操作に応じて、表示部４に表示された画像とは異なる画像を手に投影するようプロジェクタ３を制御する。例えば、ユーザが、メールアイコン４１をタッチすると、図５Ｂに示すように、リストバンド型端末１は、表示部４でのホーム画面の表示を維持しつつ、プロジェクタ３によりメールの文章を手に投影する。このため、ユーザは、メールの文章を読みながら、表示部４に表示されたホーム画面により新しいメールが受信されたことを確認したり、過去にユーザが送信したメールを表示部４で確認したりすることができる。
【００５９】
ここで、図５Ｃに示すように、本実施形態に係るリストバンド型端末１は、ボタン１４−１およびタッチセンサ１４−２が設けられている。図５Ｃに示すように、ユーザは、タッチセンサ１４−２を操作することで、手に投影されたメールの文章をスクロールさせることができる。また、ユーザは、表示部４を直接タッチすることで、表示部４の表示をスクロール等させることができる。このように、リストバンド型端末１は、タッチセンサ１４−２を別途設けることで、表示部４により表示される画像とプロジェクタ３により投影される画像とを別々に操作することを可能にする。
【００６０】
また、リストバンド型端末１は、ボタン１４−１により、表示部４へのタッチ入力を、表示部４に表示される画像に対する操作として捉えるか、プロジェクタ３により投影される画像に対する操作として捉えるかを切り替える。ユーザは、ボタン１４−１により操作対象を切り替えながら、表示部４に表示される画像とプロジェクタ３により投影される画像とを別々にスクロールさせたり、拡大／縮小等させたりすることができる。
【００６１】
以上、第２の実施形態について説明した。
【００６２】
［２−４．第３の実施形態］
本実施形態は、プロジェクタ３を２つ有する形態である。以下、図６を参照して本実施形態について詳細に説明する。
【００６３】
図６は、第３の実施形態に係る投影処理を説明するための図である。図６Ａに示すように、ユーザは、初めて行く店の地図をプロジェクタ３−１により拡大して投影させて、投影された地図５−３を確認している。ここで、図６Ａに示すように、本実施形態に係るリストバンド型端末１は、手に画像を投影するプロジェクタ３−１に加えて、バンド部６が装着された前腕部に画像を投影するプロジェクタ３−２（他の投影部）を有する。図６Ｂに示すように、プロジェクタ３−１および３−２は、それぞれ別の画像を拡大して投影することができる。より詳しくは、制御部１１は、第１の画像を手に投影するようプロジェクタ３−１を制御し、第２の画像を前腕部に投影するようプロジェクタ３−２を制御する。このため、リストバンド型端末１は、表示部４と合わせると１度に３つの画像を表示することができる。さらに、３つの画像が近くに表示されるため、ユーザは視線を大きく変えることなく、各画像を目視することができる。例えば、図６Ｂに示すように、ユーザは、初めて行く店の地図（第１の画像）５−３をプロジェクタ３−１により投影させつつ、プロジェクタ３−２により予約したメール（第２の画像）５−４を投影させて予約時間等を確認することができる。
【００６４】
なお、本実施形態に係るリストバンド型端末１は、第１、第２の実施形態において説明した操作と同様の操作を可能にする。即ち、ユーザは、プロジェクタ３−１、３−２により投影される画像、および表示部４に表示される画像を、タッチ入力または図示しないセンサ部１５よるセンシングにより、それぞれ別々に操作することができる。また、ユーザは、プロジェクタ３−１により投影される画像をドラッグ・ドロップして、プロジェクタ３−２により投影されている画像と入れ替えてもよい。
【００６５】
以上、第３の実施形態について説明した。
【００６６】
［２−５．第４の実施形態］
スマートフォン２には、地上放送波や衛星放送波などの放送波により外部から画像を受信するチューナが搭載されている場合がある。そこで、本実施形態に係るリストバンド型端末１は、プロジェクタ３により放送波による画像を投影すると共に、表示部４により番組情報等を表示する。
【００６７】
より詳しくは、本実施形態では、制御部１１は、外部から入力された地上放送波や衛星放送波などの放送波による画像を手に投影するようプロジェクタ３を制御する。また、制御部１１は、プロジェクタ３により投影中の放送波に関連する、字幕や番組情報などの関連情報を表示するよう表示部４を制御する。以下、図７を参照して本実施形態について説明する。
【００６８】
図７は、第４の実施形態に係る投影処理を説明するための図である。図７Ａに示すように、本実施形態に係るリストバンド型端末１は、スマートフォン２に搭載されたワンセグチューナやフルセグチューナにより受信された映像を、プロジェクタ３により手に投影する。なお、リストバンド型端末１は、図示しないスピーカを有していてもよく、テレビ音声を出力してもよい。また、ユーザは、表示部４に表示されたチャンネルをタッチ入力により選択することで、視聴するチャンネルを変更することができる。
【００６９】
また、図７Ｂに示すように、リストバンド型端末１は、表示部４により字幕やチャンネル情報、番組情報などを表示する。一般的に、スマートフォン２でテレビ映像を画面表示する場合、字幕やチャンネル情報、番組情報が画面下部に表示され、テレビ映像が小さく表示されてしまう。これに対し、本実施形態では、表示部４が字幕やチャンネル情報、番組情報を表示し、プロジェクタ３は投影面全体にテレビ映像を投影するので、ユーザは、テレビ映像を小さくすることなく視聴することができる。さらに、リストバンド型端末１は、リストバンド型端末１を振動させる振動部を有していてもよく、振動部はテレビ映像に応じて振動してもよい。この場合、ユーザに振動が伝わると共にプロジェクタ３による投影画像自体が振動するため、より迫力が増す。
【００７０】
以上、第４の実施形態について説明した。
【００７１】
［２−６．第５の実施形態］
本実施形態は、撮像する際に、スルー画像を表示部４に表示しつつ、撮像画像をプロジェクタ３により投影する形態である。以下、図８を参照して本実施形態について詳細に説明する。
【００７２】
図８は、第５の実施形態に係る投影処理を説明するための図である。図８Ａに示すように、ユーザは、撮像部１３により被写体７Ａを撮像しようとしている。このとき、制御部１１は、撮像部１３による被写体７Ａのスルー画像を表示するよう表示部４を制御し、図８Ａに示すように表示部４に被写体７Ａのスルー画像が表示される。このため、ユーザは、被写体７Ａの位置やフォーカスなどを表示部４により確認しながら撮像することができる。
【００７３】
撮像されると、制御部１１は、撮像部１３により撮像された撮像画像を手に投影するようプロジェクタ３を制御する。より具体的には、図８Ｂに示すように、プロジェクタ３は、撮像した被写体７Ａの投影画像５−５を手に投影する。このとき、表示部４は、撮像部１３による被写体７Ｂのスルー画像を表示する。このため、ユーザは、過去の撮像画像と現在の撮像対象のスルー画像とを同時に確認しながら、撮像することができる。
【００７４】
また、制御部１１は、撮像部１３により撮像された複数の撮像画像を手に投影するようプロジェクタ３を制御してもよい。より具体的には、図８Ｃに示すように、プロジェクタ３は、撮像した被写体７Ｂを示す投影画像５−６と、ひとつ前に撮像した被写体７Ａを示す投影画像５−５とを並べて手に投影してもよい。このように、リストバンド型端末１は、撮像した画像を順々に手に投影するので、ユーザは、少し前に撮像した写真をチェックしながら次の撮像を行うことができる。
【００７５】
以上、第５の実施形態について説明した。
【００７６】
［２−７．第６の実施形態］
本実施形態は、ユーザの目と手の相対的位置関係に応じて、画像が見やすくなるよう表示角度を調整して投影する形態である。以下、図９を参照して本実施形態について詳細に説明する。
【００７７】
図９は、第６の実施形態に係る投影処理を説明するための図である。図９Ａに示すように、ユーザは、プロジェクタ３によりメール文章を閲覧している。ここで、ユーザはリストバンド型端末１を手首に装着するため、手の角度や高さなどの状態によっては、文章とユーザの両目とが平行にならず斜めになってしまう場合がある。例えば、図９Ｂに示すように、ユーザの手が斜め方向を向いている場合、文章も斜めになってしまい文章が読み辛くなる。
【００７８】
そこで、本実施形態では、制御部１１は、センサ部１５により取得されたユーザの目と手の相対的位置関係に応じて、プロジェクタ３により投影される画像の表示角度を制御する。より具体的には、まず、制御部１１は、カメラや赤外線センサ（図９中の符号１５−１に示す）によりユーザの目の位置を特定し、ジャイロセンサや加速度センサによりユーザの腕の位置や角度を特定することで、ユーザの目と手の相対的な位置関係を算出する。そして、制御部１１は、算出した位置関係に応じて、文章とユーザの両目とが平行になるよう、画像の表示角度を補正する。
【００７９】
このような表示角度の補正により、図９Ｃに示すように、プロジェクタ３は、ユーザの両目と平行する文章を手に投影する。このため、ユーザは、読み辛さを感じることなく文章を読み取ることができる。なお、ユーザによって、左手／右手、上下などリストバンド型端末１の装着方法は様々であるため、制御部１１は、０度から３６０度の範囲で、表示角度を補正する。
【００８０】
なお、本実施形態では文章を対象として、文章と両目とが平行になるよう補正する例を説明したが、本実施形態はかかる例に限定されない。例えば、制御部１１は、風景画像やポートレイトなどの任意の画像に対して、ユーザの目から見て画像が斜めに投影されないよう、表示角度を補正してもよい。
【００８１】
以上、第６の実施形態について説明した。
【００８２】
［２−８．第７の実施形態］
本実施形態は、リストバンド型端末１が装着されている手の動きに応じて、プロジェクタ３の投影方向を制御する形態である。例えば、リストバンド型端末１は、通常は手の甲に投影する近傍投影モードで動作し、手が所定の動きをした場合に手の甲ではなく遠方に画像を投影する遠方投影モードで動作する。
【００８３】
本実施形態では、まず、認識部１１１は、センサ部１５によるセンシング結果に基づいて手の動きを認識する。そして、制御部１１は、認識部１１１により認識された手の動きに応じてプロジェクタ３による投影方向を制御する。以下、図１０を参照して本実施形態について詳細に説明する。
【００８４】
図１０は、第７の実施形態に係る投影処理を説明するための図である。より詳しくは、図１０Ａは、近傍投影モードでの動作を説明するための図であり、図１０Ｂは、遠方投影モードでの動作を説明するための図である。
【００８５】
図１０Ａに示すように、認識部１１１は、カメラや赤外線センサ（図１０Ａ中の符号１５−２に示す）からは指が検出できないため、ユーザが手を握っていることを認識する。この場合、制御部１１は、ユーザが手を握っているため、プロジェクタ３による投影方向を手の甲に向けている。これにより、プロジェクタ３は、リストバンド型端末１の近傍である、リストバンド型端末１が装着された手の甲に画像を投影する。なお、本実施形態では、図１０Ａに示すように、表示部４およびプロジェクタ３は、連携するスマートフォン２のホーム画像を表示または投影している。
【００８６】
一方で、図１０Ｂに示すように、認識部１１１は、カメラや赤外線センサ（図１０Ｂ中の符号１５−２に示す）から指が検出できるため、ユーザが手を開いていることを認識する。この場合、制御部１１は、ユーザが手を開いているため、手の甲に画像が投影されないようプロジェクタ３による投影方向を手の甲から乖離する方向（Ｙ方向）に動かす。これにより、プロジェクタ３は、リストバンド型端末１が装着された手以外の、例えば遠方のスクリーン８や壁、床などに画像を投影することができる。なお、プロジェクタ３がレーザー方式のプロジェクタにより実現される場合、プロジェクタ３は、フォーカス調整等のキャリブレーションを原則行うことなく、遠方のスクリーン８等に画像を投影することができる。もちろん、プロジェクタ３は、投影距離等に基づいて自動的にキャリブレーションを行ってもよい。
【００８７】
また、図１１に示すように、プロジェクタ３は、遠方ではなくリストバンド型端末１を装着していない方の手に画像を投影してもよい。図１１は、第７の実施形態に係る投影処理を説明するための図である。図１１に示すように、認識部１１１は、カメラや赤外線センサ（図１１中の符号１５−２に示す）から指が検出できるため、ユーザが手を開いていることを認識する。この場合、制御部１１は、手の甲に画像が投影されないようプロジェクタ３による投影方向を手の甲から乖離する方向（Ｙ方向）に動かす。このとき、プロジェクタ３の投影方向にリストバンド型端末１を装着していない方の手がある場合、その手に画像が投影される。
【００８８】
以上、第７の実施形態について説明した。
【００８９】
［２−９．第８の実施形態］
本実施形態は、リストバンド型端末１が装着された手の動きに応じて、スマートフォン２を操作する形態である。より具体的には、本実施形態に係るリストバンド型端末１は、リストバンド型端末１が装着された手によるジェスチャー入力を認識し、スマートフォン２によるジェスチャー入力に基づく処理に応じて更新された画像を投影する。
【００９０】
本実施形態では、まず、認識部１１１は、センサ部１５が有するカメラや赤外線センサによるセンシング結果に基づいて手の動きを認識する。他にも、認識部１１１は、センサ部１５が有する筋電センサや神経センサにより検出された筋電や神経の電気信号に基づいて手の動きを認識してもよい。そして、制御部１１は、認識部１１１により認識された手の動きに応じてプロジェクタ３により投影される画像を制御する。以下、図１２を参照して本実施形態について詳細に説明する。
【００９１】
図１２は、第８の実施形態に係る投影処理を説明するための図である。図１２Ａに示すように、プロジェクタ３は、手の甲にメール文章を示す投影画像５−７を投影している。本実施形態では、リストバンド型端末１は、リストバンド型端末１が装着された手の各指に使われる頻度が高いキーを割り当て、指の動きに応じてスマートフォン２を操作することで、プロジェクタ３により投影される画像を制御する。
【００９２】
例えば、リストバンド型端末１は、親指に撮像部１３の起動を指示する起動キー、および撮像部１３による撮像を指示するシャッターキーを割り当てる。同様に、リストバンド型端末１は、人差し指に操作取消を指示する戻るキー、中指にホーム画面の表示を指示するホームキー、薬指にメニューの表示を指示するメニューキー、小指にプロジェクタ３による投影のＯＮ／ＯＦＦを指示するキーを割り当てる。これらの割り当ては、ユーザにより自由に設定されてもよい。
【００９３】
ユーザは、プロジェクタ３を使用中にホーム画面に戻りたい場合、中指を立てたり折り曲げたりして動かす。すると、認識部１１１は、中指が動かされたことを認識して、制御部１１は、その認識結果に基づき、スマートフォン２のホーム画面を投影するようプロジェクタ３を制御する。これにより、図１２Ｂに示すように、プロジェクタ３によりホーム画面を示す投影画像５−８が投影される。
【００９４】
以上、第８の実施形態について説明した。
【００９５】
［２−１０．第９の実施形態］
本実施形態は、プロジェクタ３により投影された投影画像に対するユーザ操作に応じて、スマートフォン２を操作する形態である。より具体的には、本実施形態に係るリストバンド型端末１は、投影画像へのタッチやフリック入力などによるユーザ操作を検出し、スマートフォン２によるユーザ操作に基づく処理に応じて更新された画像を投影する。
【００９６】
本実施形態では、まず、検出部１１２は、センサ部１５が有する奥行き検出機能付きカメラや赤外線センサによるセンシング結果に基づいて、プロジェクタ３により手に投影された画像に対するユーザ操作を検出する。そして、制御部１１は、検出部１１２により検出されたユーザ操作に応じてプロジェクタ３により投影される画像を制御する。以下、図１３を参照して本実施形態について詳細に説明する。
【００９７】
図１３は、第９の実施形態に係る投影処理を説明するための図である。図１３Ａに示すように、リストバンド型端末１には奥行き検出機能付きカメラ１５−３が設けられており、ホーム画面を示す投影画像５−９を投影している。検出部１１２は、奥行き検出機能付きカメラ１５−３による撮像画像に基づき、プロジェクタ３により投影されたホーム画面に含まれるアイコンを、ユーザがタッチしたことを検出する。そして、制御部１１は、タッチされたアイコンに対応する画面を投影するようプロジェクタ３を制御する。例えば、メールアイコンがタッチされた場合、制御部１１は、通信部１２を介してメール文章をスマートフォン２から受信して、プロジェクタ３によりメール文章を投影させる。
【００９８】
他にも、リストバンド型端末１は、投影画像にタッチした二本の指を広げる操作に基づいて画像を拡大したり、二本の指を近づける操作に基づいて画像を縮小したり、フリック操作に基づき画像をスクロールしたりすることができる。また、リストバンド型端末１は、投影画像に対するドラッグおよびドロップ操作に応じて、例えばアイコン等を投影画像内で移動させてもよい。また、図１３Ｂに示すように、本実施形態に係るリストバンド型端末１は、ホーム画面以外の例えば番号選択画面を示す投影画像５−１０に対するユーザ操作に応じて、スマートフォン２を操作してもよい。
【００９９】
以上、第９の実施形態について説明した。
【０１００】
［２−１１．第１０の実施形態］
本実施形態は、リストバンド型端末１０がスマートフォン２としての機能を有する形態である。つまり、本実施形態に係るリストバンド型端末１０は、スマートフォン２と連携することなく、単独でメールの送受信や閲覧等を行うことができる。以下、本実施形態に係るリストバンド型端末１０の構成を説明する。
【０１０１】
図１４は、第１０の実施形態に係るリストバンド型端末１０の構成を示すブロック図である。図１４に示すように、リストバンド型端末１０は、プロジェクタ３、表示部４、撮像部１３、操作部１４、センサ部１５、記憶部１６、制御部１１０、および通信部１２０を有する。
【０１０２】
（記憶部１６）
記憶部１６は、所定の記録媒体に対してデータの記録再生を行う部位である。記憶部１６は、例えばＨＤＤ（Ｈａｒｄ  Ｄｉｓｃ  Ｄｒｉｖｅ）として実現される。もちろん記録媒体としては、フラッシュメモリ等の固体メモリ、固定メモリを内蔵したメモリカード、光ディスク、光磁気ディスク、ホログラムメモリなど各種考えられ、記憶部１６としては採用する記録媒体に応じて記録再生を実行できる構成とされればよい。
【０１０３】
本実施形態に係る記憶部１６は、リストバンド型端末１０がスマートフォン２として機能するための各種アプリケーションプログラム、画像や音声などのリソースデータ、メールデータ等を記憶する。
【０１０４】
（通信部１２０）
通信部１２０は、外部装置との間でのデータの送受信を行う。通信部１２は、例えば無線、Ｂｌｕｅｔｏｏｔｈ（登録商標）、ＷｉＨＤ、ＷＬＡＮ、Ｗｉ−Ｆｉ（登録商標）、ＮＦＣ、赤外線通信、３Ｇ／ＬＴＥやミリ波帯の電波により通信を行う。例えば、本実施形態に係る通信部１２０は、ユーザにより作成されたメールを送信したり、Ｗｅｂコンテンツを受信したりする。
【０１０５】
（制御部１１０）
制御部１１０は、演算処理装置および制御装置として機能し、各種プログラムに従ってリストバンド型端末１０内の動作全般を制御する。制御部１１０は、例えばＣＰＵ、マイクロプロセッサによって実現される。なお、制御部１１０は、使用するプログラムや演算パラメータ等を記憶するＲＯＭ、および適宜変化するパラメータ等を一時記憶するＲＡＭを含んでいてもよい。
【０１０６】
本実施形態では、制御部１１０は、記憶部１６に記憶された画像を、バンド部６が装着された手に投影するよう、プロジェクタ３を制御する。例えば、制御部１１０は、記憶部１６に記憶されたメール文章を投影するようプロジェクタ３を制御する。また、制御部１１０は、外部装置から入力された画像を投影するよう、プロジェクタ３を制御してもよい。例えば、制御部１１０は、通信部１２０によりサーバ等の外部から受信したＷｅｂコンテンツを投影するようプロジェクタ３を制御する。その他、制御部１１０は、上記基本形態において説明した制御部１１と同様の機能を有する。
【０１０７】
以上、本実施形態に係るリストバンド型端末１０の構成を説明した。なお、プロジェクタ３、表示部４、撮像部１３、操作部１４、およびセンサ部１５は、図２を参照して上記基本形態において説明した通りであるため、ここでの詳細な説明は省略する。また、本実施形態での動作処理は、リストバンド型端末１０が単独で行う点を除き、図３を参照して上記基本形態において説明した通りであるため、ここでの詳細な説明は省略する。
【０１０８】
＜３．まとめ＞
以上説明したように、本開示の一実施形態に係るリストバンド型端末は、モバイル端末のユーザビリティを向上させることが可能である。より詳しくは、リストバンド型端末１は、スマートフォン２の出力装置および入力装置として機能するよう連携することで、ユーザはスマートフォン２を手に取ることなく地図やＷｅｂ、メール等を閲覧することができる。
【０１０９】
以上、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１０】
例えば、情報処理装置に内蔵されるＣＰＵ、ＲＯＭ及びＲＡＭ等のハードウェアに、上記リストバンド型端末１、リストバンド型端末１０の各構成と同等の機能を発揮させるためのコンピュータプログラムも作成可能である。また、当該コンピュータプログラムを記憶した記憶媒体も提供される。
【０１１１】
また、本明細書に記載された効果は、あくまで説明的または例示的なものであって限定的ではない。つまり、本開示に係る技術は、上記の効果とともに、または上記の効果に代えて、本明細書の記載から当業者には明らかな他の効果を奏しうる。
【０１１２】
なお、以下のような構成も本開示の技術的範囲に属する。
（１）
ユーザの手首に装着するバンド部と、
前記バンド部が装着された手に画像を投影する投影部と、
記憶部に記憶された画像、または外部装置から入力された画像の少なくともいずれか一方を前記手に投影するよう前記投影部を制御する制御部と、
を備えるリストバンド型情報処理装置。
（２）
前記リストバンド型情報処理装置は、ユーザ操作を受け付ける操作部をさらに備え、
前記制御部は、前記操作部により受け付けられた前記ユーザ操作に応じて、前記投影部により投影される画像を制御する、前記（１）に記載のリストバンド型情報処理装置。
（３）
前記リストバンド型情報処理装置は、表示部をさらに備え、
前記制御部は、前記操作部により受け付けられた前記ユーザ操作に応じて、前記表示部に表示された画像を前記手に投影するよう前記投影部を制御する、前記（２）に記載のリストバンド型情報処理装置。
（４）
前記リストバンド型情報処理装置は、表示部をさらに備え、
前記制御部は、前記操作部により受け付けられた前記ユーザ操作に応じて、前記表示部に表示された画像とは異なる画像を前記手に投影するよう前記投影部を制御する、前記（２）に記載のリストバンド型情報処理装置。
（５）
前記リストバンド型情報処理装置は、前記投影部により前記手に投影された画像に対するユーザ操作を検出する検出部をさらに備え、
前記制御部は、前記検出部により検出された前記ユーザ操作に応じて、前記投影部により投影される画像を制御する、前記（１）〜（４）のいずれか一項に記載のリストバンド型情報処理装置。
（６）
前記制御部は、外部から入力された放送波による画像を前記手に投影するよう前記投影部を制御し、前記放送波に関連する関連情報を表示するよう前記表示部を制御する、前記（４）に記載のリストバンド型情報処理装置。
（７）
前記リストバンド型情報処理装置は、撮像部をさらに備え、
前記制御部は、前記撮像部により撮像された撮像画像を前記手に投影するよう前記投影部を制御し、前記撮像部によるスルー画像を表示するよう前記表示部を制御する、前記（４）に記載のリストバンド型情報処理装置。
（８）
前記リストバンド型情報処理装置は、前記バンド部が装着された前腕部に画像を投影する他の投影部をさらに備える、前記（１）〜（７）のいずれか一項に記載のリストバンド型情報処理装置。
（９）
前記制御部は、第１の画像を前記手に投影するよう前記投影部を制御し、第２の画像を前記前腕部に投影するよう前記他の投影部を制御する、前記（８）に記載のリストバンド型情報処理装置。
（１０）
前記制御部は、前記ユーザの目と前記手の相対的位置関係に応じて前記投影部により投影される画像の表示角度を制御する、前記（１）〜（９）のいずれか一項に記載のリストバンド型情報処理装置。
（１１）
前記リストバンド型情報処理装置は、前記手の動きを認識する認識部をさらに備える、前記（１）〜（１０）のいずれか一項に記載のリストバンド型情報処理装置。
（１２）
前記制御部は、前記認識部により認識された前記手の動きに応じて前記投影部による投影方向を制御する、前記（１１）に記載のリストバンド型情報処理装置。
（１３）
前記制御部は、前記認識部により認識された前記手の動きに応じて、前記投影部により投影される画像を制御する、前記（１１）または（１２）に記載のリストバンド型情報処理装置。
（１４）
前記リストバンド型情報処理装置は、前記リストバンド型情報処理装置に対応付けられた携帯端末から前記投影部により投影される画像を受信する受信部をさらに備える、前記（１）〜（１３）のいずれか一項に記載のリストバンド型情報処理装置
（１５）
前記受信部は、前記投影部により投影される画像として、前記携帯端末のグラフィカルユーザインターフェースを示す画像を受信する、前記（１４）に記載のリストバンド型情報処理装置。
（１６）
前記投影部はレーザー方式のピコプロジェクタである、前記（１）〜（１５）のいずれか一項に記載のリストバンド型情報処理装置。
（１７）
コンピュータを、
バンド部が装着された手に画像を投影する投影部と、
記憶部に記憶された画像、または外部装置から入力された画像の少なくともいずれか一方を前記手に投影するよう前記投影部を制御する制御部と、
として機能させるためのプログラムが記憶された記憶媒体。
【符号の説明】
【０１１３】
１、１０    リストバンド型端末
１１、１１０    制御部
１１１    認識部
１１２    検出部
１２、１２０    通信部
１３    撮像部
１４    操作部
１５    センサ部
１６    記憶部
２    スマートフォン
３、３−１、３−２    プロジェクタ
４    表示部
５    投影画像
６    バンド部
７Ａ、７Ｂ、７Ｃ    被写体
８  スクリーン
【図１】
2015041052.tif 000003
【図２】
2015041052.tif 000004
【図３】
2015041052.tif 000005
【図４】
2015041052.tif 000006
【図５】
2015041052.tif 000007
【図６】
2015041052.tif 000008
【図７】
2015041052.tif 000009
【図８】
2015041052.tif 000010
【図９】
2015041052.tif 000011
【図１０】
2015041052.tif 000012
【図１１】
2015041052.tif 000013
【図１２】
2015041052.tif 000014
【図１３】
2015041052.tif 000015
【図１４】
2015041052.tif 000016